(57)【要約】【課題】コンクリート製の岸壁、防波堤等の水中壁面の損傷の補修作業を安全に、かつ効率良く行うことを可能にする壁面補修用作業空間形成物及び壁面補修用作業空間形成方法を提供する。【解決手段】海底地盤５１に構築したコンクリート製防波堤５２の補修壁面５２Ａとの間に作業空間Ｓとなる間隙を存して海底地盤５１上に横長の前面閉塞パネル２を設置する。前面閉塞パネル２の長手方向両端に側面閉塞パネル６、６が設けてある。側面閉塞パネル６は補修壁面５２Ａに多数本の閉塞材９の先端面を当接させることにより作業空間Ｓを遮水状態に画成している。前面閉塞パネル２の錘格納部４に錘となるコンクリート板１１を格納し、前面閉塞パネル２に重量を持たせて水中での安定性を確保している。【選択図】図１
2018162630.tif 000002
【特許請求の範囲】
【請求項１】
水底地盤上に構築したコンクリート製構造物の補修壁面との間に作業空間となる間隙を存して該水底地盤上に設置し、内部に錘格納部を形成してある横長の前面閉塞パネルと、該前面閉塞パネルの長手方向両端に設けられ、前記補修壁面に先端面が当接することにより前記作業空間を遮水状態に画成する側面閉塞パネルと、前記前面閉塞パネルの錘格納部に格納する錘とから構成してなる壁面補修用作業空間形成物。
【請求項２】
前記前面閉塞パネルは、前記作業空間に向けて突出する作業用足場を内面に設けてあることを特徴とする請求項１記載の壁面補修用作業空間形成物。
【請求項３】
前記側面閉塞パネルは、前記前面閉塞パネルの長手方向両端に設けた閉塞材支持体と、該各閉塞材支持体に先端面を前記補修壁面に向けた状態で縦方向に列設することによりパネル状をなし、各々が進退可能で、該先端面が前記補修壁面に当接する複数本の閉塞材とから構成してある請求項１記載の壁面補修用作業空間形成物。
【請求項４】
前記閉塞材は、縦断面四角形の角材からなり、上摺接面にほぞ又は溝、下摺接面に溝又はほぞを形成して嵌合するようにしたものである請求項３記載の壁面補修用作業空間形成物。
【請求項５】
前記閉塞材は、前記先端面に前記補修壁面に密接する止水用シール材を設けてあることを特徴とする請求項３記載の壁面補修用作業空間形成物。
【請求項６】
前記錘は、鋼板、鉛板、コンクリート板、水充填タンクのいずれかである請求項１記載の壁面補修用作業空間形成物。
【請求項７】
内部に錘格納部を形成した横長の前面閉塞パネルを、水中地盤上に構築したコンクリート製構造物の補修壁面との間に作業空間となる間隙を存する状態で該水底地盤上に設置し、該前面閉塞パネルの長手方向両端に側面閉塞パネルを設け、該側面閉塞パネルを構成する多数本の閉塞材を進退させて先端面を前記補修壁面に当接させることにより前記作業空間を遮水状態に画成し、前記前面閉塞パネルの錘格納部に錘を挿入格納し、前記作業空間内から水を排出することからなる壁面補修用作業空間形成方法。
【発明の詳細な説明】
【技術分野】
【０００１】
本発明は、岸壁、防波堤等のコンクリート製構造物の水中に没している壁面の損傷や損壊を補修する作業を安全に、効率良く行うことを可能にする壁面補修用作業空間形成物及び壁面補修用作業空間形成方法に関する。
【背景技術】
【０００２】
コンクリート製の岸壁、防波堤等(以下、岸壁等という。)は、水中に没している壁面部分が二酸化炭素や塩分によるコンクリートの経年劣化により、また繰り返し受ける波力、氷塊、石等の衝撃によって次第に損傷し、損傷が拡大すると終には損壊する事態に至る。損壊が始まった岸壁等は損壊箇所の周囲の強度性が低下するために損壊する部位の拡大が早まり、岸壁際の道路が陥没する事故、岸壁等自体が崩れるといった幾多の問題を生じている。
【０００３】
特に、岸壁等には沖合いからの潮流が略直角に当り、流速の早い沿い波が横方向に流れる現象が生じる。沿い波は流速が速く、また砂を巻き込んでいることから、岸壁等の水中壁面は沿い波によって早期に損傷し、損傷の程度も激しいという問題がある。そして、この問題に対処するために、従来は沿い波の上流側に位置して岸壁等に沿って海底に多数の消波ブロックを配置し、沿い波の力を減衰させることを行っている。
【先行技術文献】
【特許文献】
【０００４】
【特許文献１】見出せず。
【発明の概要】
【発明が解決しようとする課題】
【０００５】
しかし、海底に多数の消波ブロックを配置しても消波ブロック間には空隙が出来ていることから、沿い波の流動を完全に阻止することは出来ない。このため、沿い波により砂等が混入して視界が悪い水中で行う壁面の補修作業は作業効率が悪いし、作業員は波力を受けて作業中の身体の安定性を保てないため作業性が悪いという問題がある。
しかし、消波ブロックを用いる技術以外に沿い波に対処した岸壁等の補修作業のための技術は提案されていない。
【０００６】
本発明は従来技術の未解決の問題点に鑑みなされたもので、コンクリート製構造物である岸壁、防波堤等の水中壁面の損傷や損壊箇所の補修作業を安全に、効率良く行うことを可能にする壁面補修用作業空間形成物及び壁面補修用作業空間形成方法を提供することを目的とする。
【課題を解決するための手段】
【０００７】
（１）上述した課題を解決するために構成した請求項１に係る発明の手段は、水底地盤上に構築したコンクリート製構造物の補修壁面との間に作業空間となる間隙を存して該水底地盤に設置し、内部に錘格納部を形成してある横長の前面閉塞パネルと、該前面閉塞パネルの長手方向両端に設けられ、前記補修壁面に先端面が当接することにより前記作業空間を遮水状態に画成する側面閉塞パネルと、前記前面閉塞パネルの錘格納部に格納する錘とからなる。
（２）そして、前記前面閉塞パネルには、前記作業空間に向けて突出する作業用足場を内面に設けるとよい。
（３）また、前記側面閉塞パネルは、前記前面閉塞パネルの長手方向両端に設けた閉塞材支持体と、該各閉塞材支持体に先端面を前記補修壁面に向けた状態で縦方向に列設することによりパネル状をなし、各々が進退可能で、該先端面が前記補修壁面に当接する複数本の閉塞材とから構成するとよい。
（４）そして、前記閉塞材は、縦断面四角形の角材からなり、上摺接面にほぞ又は溝、下摺接面に溝又はほぞを形成して嵌合するようにするとよい。
（５）また、前記閉塞材は、前記先端面に前記補修壁面に密接する止水用シール材を設けるとよい。
（６）また、前記錘は、鋼板、鉛板、コンクリート板、水充填タンクのいずれかであるとよい。
（７）更に、請求項７に係る発明を構成する手段は、内部に錘格納部を形成した横長の前面閉塞パネルを、水中地盤上に構築したコンクリート製構造物の補修壁面との間に作業空間となる間隙を存する状態で該水底地盤上に設置し、該前面閉塞パネルの長手方向両端に側面閉塞パネルを設け、該側面閉塞パネルを構成する多数本の閉塞材を進退させて先端面を前記補修壁面に当接させることにより前記作業空間を遮水状態に画成し、前記前面閉塞パネルの錘格納部に錘を挿入格納し、前記作業空間内から水を排出することからなる。
【発明の効果】
【０００８】
本発明は上述の如く構成したから、下記の諸効果を奏する。
（１）壁面補修用作業空間形成物により水中に画成する作業空間は沿い波や波力の影響を受けることがないし、作業員の視界も確保されるから、補修壁面の補修作業を安全に、効率良く行うことができる。
（２）前面閉塞パネルは、作業空間に向けて作業用足場を設けたから、高さのある補修壁面の補修作業を円滑かつ効率的に行うことができる。
（３）前面閉塞パネルは、水底地盤に設置した後に重量物である錘を格納する構成にしたから、水中での設置作業を効率的に行うことができる。
（４）側面閉塞パネルは、多数本の閉塞材の各々を進退させて補修壁面に当接する構成にしたから、作業空間は高い遮水性を有することができる。
（５）閉塞材は上摺接面にほぞ又は溝、下摺接面に溝又はほぞを形成し、上下の閉塞材は嵌合する構成にしたから、水圧に対して高い強度性を有するし、遮水性が高いので作業空間に水が浸入する事態を可及的に抑制できる。
（６）閉塞材は、先端面に補修壁面に密接する止水用シール材を設けたから、作業空間に水が浸入する事態を可及的に抑制できる。
（７）錘は、鋼板、鉛板、コンクリート板、水充填タンクのいずれかで構成すればよく、コストの節減を図ることができる。
【図面の簡単な説明】
【０００９】
【図１】本発明の実施の形態に係る壁面補修用作業空間形成物の全体構成を示す斜視図である。
【図２】壁面補修用作業空間形成物の内側を示す部分斜視図である。
【図３】壁面補修用作業空間形成物を構成する錘の全体図である。
【図４】壁面補修用作業空間形成物の平面図である。
【図５】閉塞材の先端側を示す部分斜視図である。
【図６】閉塞材の嵌合状態を示す断面図である。
【図７】壁面補修用作業空間形成物の設置工程の説明図である。
【図８】壁面補修用作業空間形成物の変形例を示す部分斜視図である。
【発明を実施するための形態】
【００１０】
以下、本発明の実施の形態を図面に基づき詳述する。図において、１は壁面補修用作業空間形成物で、該壁面補修用作業空間形成物１は、例えば砂地からなる海底地盤５１上に構築したコンクリート製防波堤５２の壁面のうち補修を要する壁面５２Ａ（以下、補修壁面５２Ａという。）の補修に用いるものである。
２は該壁面補修用作業空間形成物１を構成し、後述する作業空間Ｓを画成するための前面閉塞パネルを示す。３は該前面閉塞パネル２を構成するパネル本体で、該パネル本体３は縦長の複数枚のコンクリート板或いは鋼板を連結して横長に形成した前面パネル板３Ａと、同様の構成からなる後面パネル板３Ｂと、該後面パネル板３Ｂと前面パネル板３Ａを連結する仕切板３Ｃ、３Ｃ、３Ｃとから構成し、内部に下方が開放する複数の錘格納部４、４、・・が画成してある。なお、前面、後面パネル板３Ａ、３Ｂをコンクリート板で構成する場合は、接合面を相欠きや矢はずの形状にすることで、遮水性を高めることができる。そして、後面パネル板３Ｂには、作業空間Ｓに向けて突出する作業用足場５が高さ方向略中間に位置して設けることにより作業性を高めてある。
上述の構成からなる前面閉塞パネル２は、補修壁面５２Ａとの間に作業空間Ｓとなる間隙を設けるように海底地盤５１上に設置するものである。
【００１１】
６，６は前記前面閉塞パネル２の長手方向両端に設けた一対の側面閉塞パネルを示す。該各側面閉塞パネル６は、前記作業空間Ｓを沿い波の影響から防ぐと共に、周囲の海水から遮断して水圧や水流により受ける影響を可及的に小さくするためのものである。７は各側面閉塞パネル６を構成する側面支持板で、該側面支持板７は前面閉塞パネル２と同じ高さからなり、幅方向長さは前面閉塞パネル２より前方に突出する長さを有する縦長の平板からなり、前面閉塞パネル２の側端に固着してある。
８は角材を組んで構成した閉塞材支持体で、該閉塞材支持体８は縦長枠状の外側枠部８Ａと、前記側面閉塞板７の先端に縦方向に固着され該外側枠部８Ａとの間に後述する閉塞材９を挟持する内側支持材８Ｂと、該内側支持材８Ｂと外側枠部８Ａの上端側及び下端側に固着して連結する連結材８Ｃ、８Ｃとから構成してある。
【００１２】
９、９、・・・は各側面閉塞パネル６を構成する複数本の閉塞材で、該各閉塞材９は縦断面四角形の角材からなり、図５及び図６に示すように、先端面を壁当接面９Ａ、後端面を押動面９Ｂ、上面を上摺接面９Ｃ、下面を下摺接面９Ｄとしている。そして、上摺接面９Ｃにほぞ９Ｅ、下摺接面９Ｄに溝９Ｆを形成し、上下の閉塞材９、９はほぞ９Ｅと溝９Ｆを嵌合して密接させることにより、遮水性を高めると共に水圧に対する強度性を持たせてある。
１０は各閉塞材９の壁当接面９Ａに貼着したゴム製、フエルト製、不織布或いは軟質合成樹脂製等の柔軟性を有する止水用シール材で、該止水用シール材１０は補修壁面５２Ａに密接することで作業空間Ｓ内の遮水性を保持するためのものである。
【００１３】
上述の構成からなる閉塞材９は、前記止水用シール材１０を補修壁面５２Ａに向けた状態で閉塞材支持体８の外側枠部８Ａと内側支持材８Ｂ及び側面閉塞板７に挟持されており、縦方向に列設することでパネル状をなしている。また、上下の閉塞材９、９はほぞ９Ｅと溝９Ｆを嵌合して積重して構成し、かつパネル状の閉塞材９の内側に側面閉塞板７を配設することで、側面閉塞パネル６、６は高い遮水性を有して作業空間Ｓが水圧や水流の影響を受ける事態を可及的に防止している。
【００１４】
更に、１１、１１、・・は前面閉塞パネル２の各錘格納部４に挿入するパネル状の錘で、該各錘１１は前面閉塞パネル２に重量を持たせることで波力等の水圧に対する安定性を得るためのものである。そして、錘１１は鋼板、鉛板、コンクリート板、水充填タンク等で製作してあり、上面１１Ａにはクレーンで吊下げるための一対の吊下げ用環１１Ｂ、１１Ｂが設けてある。
【００１５】
本実施の形態に係る壁面補修用作業空間形成物１は上述の構成からなるもので、サイズは一例として横方向長さ５，０００〜７，０００ｍｍ、高さ４，０００〜５，０００ｍｍ、作業空間Ｓの前後幅１，０００〜１，５００ｍｍの大きさからなるが、作業現場に応じて種々の大きさのものを作製するとよい。
【００１６】
次に、その作用について説明する。先ず、補修壁面５２Ａの下方の海底地盤５１を整地し、補修壁面５２Ａとの間に１，０００〜１，５００ｍｍの間隙を存して地盤５１上に前面閉塞パネル２を設置する。次に、予め閉塞材９をパネル状に列設してある側面閉塞パネル６、６を前面閉塞パネル２の両端に組付け、各閉塞材９を矢示イ、ロ方向に進退させて凹凸する補修壁面５２Ａに止水用シール材１０を密接させる。閉塞材９を進退させる動作には、例えば特許第５９８５８９５号特許公報に記載の技術、即ち閉塞材支持枠８に設けた支持筒内でねじ軸を回動することにより進退力を得る進退調整シリンダ（図示せず。）を用いる方法がある。
【００１７】
このようにして壁面補修用作業空間形成体１を海底に設置したら、作業空間Ｓ内の海水を排水ポンプ等で排出し、可能な限り水の無い作業空間Ｓを形成する。しかし、作業空間形成物１は密閉した構造物ではなく、主に地盤５１側から海水等が作業空間Ｓに徐々に浸入することから、適宜排水ポンプで排出して可及的に水の無い作業空間Ｓに維持するとよい。
【００１８】
なお、壁面補修用作業空間形成物が小型のサイズであれば、前面閉塞パネル２に側面閉塞パネル６を地上で組付けて一体に構成し、クレーンで一体に吊り下ろして設置するようにしてもよい。
【００１９】
図７は本実施の形態の変形例を示し、その特徴は前面閉塞パネル２１の下端に底板２２を設けたことにある。この構成によれば、海底地盤５１が石や岩場のために足場が悪くて作業員が動き難い、危険性があるような場合に安全に、効率良く作業できるし、前面閉塞パネル２の強度性を高める効果と地盤５１側からの海水の浸入を出来る限り抑制することができる。
【００２０】
なお、本実施の形態は、海の防波堤を補修する例に挙げたが、本発明は河川の堤防やダムの壁面等、コンクリート製壁面の補修作業に用いることができる。
【符号の説明】
【００２１】
１      壁面補修用作業空間形成物
２、２１      前面閉塞パネル
４      錘格納部
５      足場
６      側面閉塞パネル
８      閉塞材支持枠
９      閉塞材
９Ｃ    上摺接面
９Ｄ    下摺接面
９Ｅ    ほぞ
９Ｆ    溝
１０    止水用シール材
１１    錘
５１    海底地盤
５２Ａ  補修壁面
Ｓ      作業空間
【図１】
2018162630.tif 000003
【図２】
2018162630.tif 000004
【図３】
2018162630.tif 000005
【図４】
2018162630.tif 000006
【図５】
2018162630.tif 000007
【図６】
2018162630.tif 000008
【図７】
2018162630.tif 000009
【図８】
2018162630.tif 000010